(57)【要約】      （修正有）【課題】ケーブルのコネクタの着脱の労力を軽減するコネクタを提供する。【解決手段】コネクタ保持具１は、ケーブル２０の端部に取り付けられたコネクタ１０を保持するためのものである。コネクタ１０はロック機構である第一レバー１２を有し、第一レバー１２を押すとネットワーク接続機器に対して着脱可能となる。コネクタ保持具１は、四個のコネクタ１０を固定するコネクタ固定手段と、コネクタ固定手段により固定された四個全てのコネクタ１０の第一レバー１２を押すことができる第二押圧部分５２とを備える。【選択図】図２
0003166926.tif 000002
【実用新案登録請求の範囲】
【請求項１】
ロック機構を有し、前記ロック機構に所定の操作が行なわれるとケーブル接続機器に対して着脱可能となるコネクタを保持するためのコネクタ保持具であって、
複数の前記コネクタを固定するコネクタ固定手段と、
前記コネクタ固定手段により固定された全ての前記コネクタの前記ロック機構に前記所定の操作を行なうことができる一括操作手段と、
を備えたコネクタ保持具。
【請求項２】
請求項１に記載のコネクタ保持具であって、
前記ロック機構は第一レバーであり、
前記所定の操作は前記第一レバーを押すことであり、
前記一括操作手段は、前記第一レバーが前記コネクタに取り付けられている第一取付部分よりも前記ケーブル接続機器から遠い前記コネクタ固定手段における第二取付部分に取り付けられた第二レバーであり、
前記第一レバーが押される第一押圧部分の上に、前記第二レバーが押される第二押圧部分が配置されている、
コネクタ保持具。
【考案の詳細な説明】
【技術分野】
【０００１】
本発明はＵＴＰケーブルのモジュラージャックなどのコネクタの保持に関する。
【背景技術】
【０００２】
従来より、ネットワーク機器にＵＴＰ(Un-shilded Twisted Pair)ケーブルを接続することが広く行なわれている。ＵＴＰケーブルは一本ずつネットワーク機器に着脱する。ＵＴＰケーブルのコネクタはネットワーク機器に対して自由に着脱できる。また、このようなケーブルのコネクタ部分をまとめて保持することも行なわれている（例えば、特許文献１を参照）。
【先行技術文献】
【特許文献】
【０００３】
【特許文献１】特開２００２−３４４１６５号公報
【考案の概要】
【考案が解決しようとする課題】
【０００４】
しかしながら、上記の従来技術のようにケーブルのコネクタ部分をまとめて保持するにしても、ケーブルを一本ずつネットワーク機器などに着脱しなければならないことには変わりがない。特に、ネットワークの設置時や保守時には、多くの本数のケーブルをネットワーク機器に着脱しなければならないため、着脱に多大な労力を要する。
【０００５】
そこで、本考案は、ケーブルのコネクタの着脱の労力を軽減することを課題とする。
【課題を解決するための手段】
【０００６】
本考案は、ロック機構を有し、ロック機構に所定の操作が行なわれるとケーブル接続機器に対して着脱可能となるコネクタを保持するためのコネクタ保持具であって、複数のコネクタを固定するコネクタ固定手段と、コネクタ固定手段により固定された全てのコネクタのロック機構に所定の操作を行なうことができる一括操作手段とを備えるように構成される。
【０００７】
上記のように構成された考案によれば、ロック機構を有し、ロック機構に所定の操作が行なわれるとケーブル接続機器に対して着脱可能となるコネクタを保持するためのコネクタ保持具が提供される。
【０００８】
コネクタ固定手段は、複数のコネクタを固定する。一括操作手段は、コネクタ固定手段により固定された全てのコネクタのロック機構に所定の操作を行なうことができる。
【０００９】
また、本考案は、ロック機構が第一レバーであり、所定の操作は第一レバーを押すことであり、一括操作手段は、第一レバーがコネクタに取り付けられている第一取付部分よりもケーブル接続機器から遠いコネクタ固定手段における第二取付部分に取り付けられた第二レバーであり、第一レバーが押される第一押圧部分の上に、第二レバーが押される第二押圧部分が配置されているようにしてもよい。
【図面の簡単な説明】
【００１０】
【図１】本考案の実施形態にかかるコネクタ保持具１によりコネクタ１０を保持した状態を示す、ケーブル２０側から見た斜視図である。
【図２】本考案の実施形態にかかるコネクタ保持具１によりコネクタ１０を保持した状態を示す、コネクタ１０側から見た斜視図である。
【図３】本考案の実施形態の変形例にかかるコネクタ保持具１によりコネクタ１０を保持した状態を示す、ケーブル２０側から見た斜視図である。
【図４】本考案の実施形態の変形例にかかるコネクタ保持具１によりコネクタ１０を保持した状態を示す、コネクタ１０側から見た斜視図である。
【考案を実施するための形態】
【００１１】
以下、本考案の実施形態を図面を参照しながら説明する。
【００１２】
図１は、本考案の実施形態にかかるコネクタ保持具１によりコネクタ１０を保持した状態を示す、ケーブル２０側から見た斜視図である。図２は、本考案の実施形態にかかるコネクタ保持具１によりコネクタ１０を保持した状態を示す、コネクタ１０側から見た斜視図である。
【００１３】
コネクタ１０はケーブル２０の端部に取り付けられている。コネクタ１０は、例えばモジュラージャックである。ケーブル２０は、例えばＵＴＰ(Un-shilded Twisted Pair)ケーブルである。コネクタ保持具１は、四個のコネクタ１０をまとめて保持している。また、四個のコネクタ１０を覆うように、第二押圧部分５２が配置されている。後述するように、第二押圧部分５２を押すと、四個のコネクタ１０を一括してネットワーク機器（ケーブル接続機器）に対し着脱可能とすることができる。
【００１４】
コネクタ保持具１は、ベース３０、ホルダ４０、第二レバー（一括操作手段）５０、組立用ねじ６２、６４を備える。なお、コネクタ１０は、第一レバー（ロック機構）１２を有する。この第一レバー１２は、モジュラージャックにおいては周知のものであり、第一レバー１２をコネクタ１０の上面に向かって押すと、ネットワーク機器に対し着脱可能となる。第一レバー１２の根元を、第一取付部分という。第一レバー１２は、第一取付部分においてコネクタ１０に取り付けられている。また、第一レバー１２の全てにおける先端の幅が狭い部分は、第一レバー１２が押される部分であり、第一押圧部分という。
【００１５】
コネクタ１０は四個並べてベース３０の上に置かれる。ホルダ４０は、ベース３０の上に置かれたコネクタ１０の上面を覆うものである。これにより、ホルダ４０およびベース３０には、四個のコネクタ１０が固定される。ホルダ４０およびベース３０は、コネクタ固定手段となる。
【００１６】
第二レバー（一括操作手段）５０は、第二押圧部分５２、側壁５６を有する。第二レバー５０（の側壁５６）は、組立用ねじ６２によりホルダ４０およびベース３０に回動可能に取り付けられる。組立用ねじ６２が、ホルダ４０およびベース３０に取り付けられている部分を、第二取付部分という。第二取付部分は、第一取付部分よりも、ネットワーク機器から見て遠い。
【００１７】
第二押圧部分５２は、四個のコネクタ１０の第一レバー１２の全てにおける第一押圧部分を覆っている。第二押圧部分５２は、コネクタ１０の上面に向けて押圧可能であり、押圧されると組立用ねじ６２を中心として回転する。これにより、全ての第一レバー１２がコネクタ１０の上面に向かって押されて、四個のコネクタ１０全てがネットワーク機器に対し着脱可能となる。
【００１８】
組立用ねじ６４は、ホルダ４０の上から、ホルダ４０およびベース３０を通って、ホルダ４０をベース３０に取り付けるためのねじ（例えば、プラスのねじ）である。
【００１９】
次に、本考案の実施形態の動作を説明する。
【００２０】
コネクタ保持具１ごと、コネクタ１０をネットワーク機器に対して挿入することができる。その状態で、第二レバー５０の第二押圧部分５２を押せば、第一押圧部分を押圧することができるので、コネクタ保持具１ごとコネクタ１０を抜くことができる。
【００２１】
本考案の実施形態によれば、ケーブル２０のコネクタ１０の着脱の労力を軽減することができる。
【００２２】
なお、コネクタ保持具１が保持するコネクタ１０の個数は、四個に限らない。例えば、変形例として、コネクタ保持具１がコネクタ１０を八個まとめて保持してもよい。
【００２３】
図３は、本考案の実施形態の変形例にかかるコネクタ保持具１によりコネクタ１０を保持した状態を示す、ケーブル２０側から見た斜視図である。図４は、本考案の実施形態の変形例にかかるコネクタ保持具１によりコネクタ１０を保持した状態を示す、コネクタ１０側から見た斜視図である。
【００２４】
コネクタ１０を八個まとめて保持したこと以外は、本考案の実施形態（図１、図２参照）と同様である。
【符号の説明】
【００２５】
１  コネクタ保持具
１０  コネクタ
１２  第一レバー（ロック機構）
２０  ケーブル
３０  ベース
４０  ホルダ
５０  第二レバー（一括操作手段）
５２  第二押圧部分
５６  側壁
【図１】
0003166926.tif 000003
【図２】
0003166926.tif 000004
【図３】
0003166926.tif 000005
【図４】
0003166926.tif 000006
【手続補正書】
【提出日】平成23年1月26日(2011.1.26)
【手続補正１】
【補正対象書類名】実用新案登録請求の範囲
【補正対象項目名】全文
【補正方法】変更
【補正の内容】
【実用新案登録請求の範囲】
【請求項１】
ロック機構を有し、前記ロック機構に所定の操作が行なわれるとケーブル接続機器に対して着脱可能となるコネクタを保持するためのコネクタ保持具であって、
複数の前記コネクタを固定するコネクタ固定手段と、
前記コネクタ固定手段により固定された全ての前記コネクタの前記ロック機構に前記所定の操作を行なうことができる一括操作手段と、
を備え、
前記ロック機構は第一レバーであり、
前記所定の操作は前記第一レバーを押すことであり、
前記一括操作手段は、前記第一レバーが前記コネクタに取り付けられている第一取付部分よりも前記ケーブル接続機器から遠い前記コネクタ固定手段における第二取付部分に取り付けられた第二レバーであり、
前記第一レバーが押される第一押圧部分の上に、前記第二レバーが押される第二押圧部分が配置されている、
コネクタ保持具。